(57)【要約】【課題】デジタルビデオカメラ等を用いて作成された動画から特定の一場面を容易に抽出してプリントするシステムを実現することである。【解決手段】記録装置１０は、入力された画像ファイルの動画から、編集注文情報に指定された静止画をキャプチャーし、当該キャプチャーした静止画をプリントする。当該編集注文情報は、編集対象となる画像ファイルが記録された記録メディアに追記されていても良いし、注文票用紙に記入されていても良い。この場合、ユーザは、当該注文票用紙に記入された編集注文情報を記録装置１０に直接入力する。編集注文情報の作成は、ユーザが利用可能なゲーム機、ＤＶＤプレーヤ或いはＰＣ等で注文情報作成プログラムが実行されることにより行われる。【選択図】          図５
2005012702.tif 000002
【特許請求の範囲】
【請求項１】
動画から静止画を抽出するための編集指示を含む編集注文情報に基づいて前記動画から静止画を抽出し、当該抽出した静止画をプリンタにプリントさせるよう制御する制御部を備えたことを特徴とする記録装置。
【請求項２】
動画と該動画から静止画を抽出するための編集指示を含む編集注文情報とが共に記録された記録メディアから前記動画及び編集注文情報を読み出し、該読み出した編集注文情報に基づいて前記読み出した動画から静止画を抽出し、該抽出した静止画をプリンタにプリントさせるよう制御する制御部を備えたことを特徴とする記録装置。
【請求項３】
動画と、該動画から静止画を抽出するための編集指示を含む編集注文情報とが各々別々に記録された２つの記録メディアから、前記動画及び編集注文情報を読み出し、該読み出した編集注文情報に基づいて前記読み出した動画から静止画を抽出し、該抽出した静止画をプリンタにプリントさせるよう制御する制御部を備えたことを特徴とする記録装置。
【請求項４】
前記編集注文情報には、前記動画の再生が開始されてから前記抽出対象となる静止画が表示されるまでのキャプチャー時間か、或いは前記動画を構成する各静止画を識別するためのフレーム番号のうち前記抽出対象となる静止画のフレーム番号と、前記記録メディアにおける前記動画の格納場所を示す情報とが含まれていることを特徴とする請求項１〜３のうち何れか一項に記載の記録装置。
【請求項５】
前記編集注文情報には、プリント画面内における前記抽出対象となる静止画のレイアウトを表すテンプレートを指定するための情報が含まれていることを特徴とする請求項１〜４のうち何れか一項に記載の記録装置。
【請求項６】
記録メディアに記録された動画から静止画を抽出するための編集指示を含む編集注文情報を作成するコンピュータに、
前記記録メディアにおける前記動画の格納場所を示す情報と、前記抽出対象となる静止画を指定する情報とを用いて前記編集注文情報を作成する機能と、
入力された指示に応じて、前記編集注文情報を、表示装置に表示させるか、前記動画が記録された記録メディアに追記するか、前記動画が記録された記録メディアとは異なる別の記録メディアに記録するか、或いは前記動画と共にオンライン送信する機能と、
を実現させるための注文情報作成プログラム。
【請求項７】
前記コンピュータに、
前記動画の再生が開始されてから前記抽出対象となる静止画が表示されるまでのキャプチャー時間か、或いは前記動画を構成する各静止画を識別するためのフレーム番号のうち前記抽出対象となる静止画のフレーム番号を算出する機能と、前記記録メディアにおける前記動画の格納場所を示す情報と、前記算出されたキャプチャー時間或いはフレーム番号とを用いて前記編集注文情報を作成する機能と、
を更に実現させるための請求項６に記載の注文情報作成プログラム。
【請求項８】
前記コンピュータに、
前記動画の再生が開始されてから前記抽出対象となる静止画が表示されるまでのキャプチャー時間か、或いは前記動画を構成する各静止画を識別するためのフレーム番号のうち前記抽出対象となる静止画のフレーム番号かを算出する機能と、
前記記録メディアにおける前記動画の格納場所を示す情報と、前記算出されたキャプチャー時間或いはフレーム番号と、プリント画面内における前記抽出対象となる静止画のレイアウトを表すテンプレートを指定するための情報とを用いて前記編集注文情報を作成する機能と、
を更に実現させるための請求項６に記載の注文情報作成プログラム。
【発明の詳細な説明】
【０００１】
【発明の属する技術分野】
本発明は、駅やレストラン等に設置され、入力された画像ファイルを編集して記録する記録装置と、画像ファイルを当該記録装置に編集して記録させる際の仕様を作成するための記録プログラムと、画像ファイルを記録する記録方法とに関する。
【０００２】
【従来の技術】
近時、ＤＳＣ（Ｄｉｇｉｔａｌ  Ｓｔｉｌｌ  Ｃａｍｅｒａ）、デジタルビデオカメラ及びＤＶＤ（Ｄｉｇｉｔａｌ  Ｖｅｒｓａｔｉｌｅ  Ｄｉｓｋ）カメラ等により作成された動画や静止画等のファイル（以下、画像ファイルという。）を編集する編集処理や、当該編集済みファイルをプリントしたりＣＤ−ＲＷ（ＣｏｍｐａｃｔＤｉｓｋ−ＲｅＷｒｉｔａｂｌｅ）やＤＶＤ−ＲＷ（ＤＶＤ−ＲｅＷｒｉｔａｂｌｅ）へ書き込む等の記録処理がＰＣ（Ｐｅｒｓｏｎａｌ  Ｃｏｍｐｕｔｅｒ）等を用いて行える（例えば、特許文献１参照。）。
【０００３】
【特許文献１】
特許第３３２１４０２号明細書
【０００４】
【発明が解決しようとする課題】
しかし、上記したようなＰＣ等を用いた画像ファイルに対する編集や記録処理は、ＰＣの操作についての知識が豊富な一部のユーザのみが可能であり、それ以外のユーザにとっては困難である。
特に、ＰＣ操作についての知識が豊富なユーザでなければ、作成した動画から特定の一場面を静止画として抽出（以下、キャプチャーという場合がある。）するといった編集処理は困難である。
更に、各種メモリカードやＣＤ−Ｒ等の記録メディアに記録された静止画をプリントして提供するシステムは既に実現されているが、記録メディアに記録された動画から特定の一場面を静止画として抽出し、当該抽出した静止画をプリントして提供するシステムは未だ実現されていない。
【０００５】
本発明の課題は、デジタルビデオカメラ等を用いて作成された動画から特定の一場面を容易に抽出してプリントするシステムを実現することである。
【０００６】
【課題を解決するための手段】
上記課題を解決するため、請求項１に記載の発明は、
動画から静止画を抽出するための編集指示を含む編集注文情報に基づいて前記動画から静止画を抽出し、当該抽出した静止画をプリンタにプリントさせるよう制御する制御部を備えたことを特徴とする。
【０００７】
また、上記課題を解決するため、請求項２に記載の発明は、
動画と該動画から静止画を抽出するための編集指示を含む編集注文情報とが共に記録された記録メディアから前記動画及び編集注文情報を読み出し、該読み出した編集注文情報に基づいて前記読み出した動画から静止画を抽出し、該抽出した静止画をプリンタにプリントさせるよう制御する制御部を備えたことを特徴とする。
【０００８】
また、上記課題を解決するため、請求項３に記載の発明は、
動画と、該動画から静止画を抽出するための編集指示を含む編集注文情報とが各々別々に記録された２つの記録メディアから、前記動画及び編集注文情報を読み出し、該読み出した編集注文情報に基づいて前記読み出した動画から静止画を抽出し、該抽出した静止画をプリンタにプリントさせるよう制御する制御部を備えたことを特徴とする。
【０００９】
更に、請求項４に記載の発明のように、請求項１〜３のうち何れか一項に記載の発明において、
前記編集注文情報には、前記動画の再生が開始されてから前記抽出対象となる静止画が表示されるまでのキャプチャー時間か、或いは前記動画を構成する各静止画を識別するためのフレーム番号のうち前記抽出対象となる静止画のフレーム番号と、前記記録メディアにおける前記動画の格納場所を示す情報とが含まれているのが好ましい。
【００１０】
更に、請求項５に記載の発明のように、請求項１〜４のうち何れか一項に記載の発明において、
前記編集注文情報には、プリント画面内における前記抽出対象となる静止画のレイアウトを表すテンプレートを指定するための情報が含まれているのが好ましい。
【００１１】
また、上記課題を解決するため、請求項６に記載の発明は、
記録メディアに記録された動画から静止画を抽出するための編集指示を含む編集注文情報を作成するコンピュータに、
前記記録メディアにおける前記動画の格納場所を示す情報と、前記抽出対象となる静止画を指定する情報とを用いて前記編集注文情報を作成する機能と、
入力された指示に応じて、前記編集注文情報を、表示装置に表示させるか、前記動画が記録された記録メディアに追記するか、前記動画が記録された記録メディアとは異なる別の記録メディアに記録するか、或いは前記動画と共にオンライン送信する機能と、
を実現させる。
【００１２】
更に、請求項７に記載の発明のように、請求項６に記載の発明において、
前記コンピュータに、
前記動画の再生が開始されてから前記抽出対象となる静止画が表示されるまでのキャプチャー時間か、或いは前記動画を構成する各静止画を識別するためのフレーム番号のうち前記抽出対象となる静止画のフレーム番号かを算出する機能と、
前記記録メディアにおける前記動画の格納場所を示す情報と、前記算出されたキャプチャー時間或いはフレーム番号とを用いて前記編集注文情報を作成する機能と、
を更に実現させる。
【００１３】
更に、請求項８に記載の発明のように、請求項６に記載の発明において、
前記コンピュータに、
前記動画の再生が開始されてから前記抽出対象となる静止画が表示されるまでのキャプチャー時間か、或いは前記動画を構成する各静止画を識別するためのフレーム番号のうち前記抽出対象となる静止画のフレーム番号かを算出する機能と、
前記記録メディアにおける前記動画の格納場所を示す情報と、前記算出されたキャプチャー時間或いはフレーム番号と、プリント画面内における前記抽出対象となる静止画のレイアウトを表すテンプレートを指定するための情報とを用いて前記編集注文情報を作成する機能と、
を更に実現させるのが好ましい。
【００１４】
従って、記録装置を用いることにより、特にＰＣの操作に不慣れなユーザであっても、入力した編集注文情報に基づき動画から静止画を容易に抽出してプリントできるので、子供からお年よりまであらゆる人々が利用でき、高い汎用性が実現できる。
また、記録装置が、駅、マーケット、レストラン等の公共の場に設置されれば、ユーザは通学や会社帰り等に容易に動画から静止画をプリントするシステムを利用できるので便利である。
また、編集注文情報と当該編集注文の対象となる動画とを一枚の記録メディアにまとめて記録しておけば、当該記録メディアを記録装置にセットするだけで所望の静止画のプリントが容易に得られるので非常に便利である。
また、一枚の記録メディアに当該記録メディアの容量一杯に動画が記録されていても、他の別の記録メディアに編集注文情報が記録できるので、便利である。また、抽出対象となる静止画を指定するための編集注文情報は注文情報作成プログラムが実行されることにより作成できるので、ＰＣに限らず、この注文情報作成プログラムを実行できる機器であればゲーム機やＤＶＤプレーヤ等でも編集注文情報が作成できる。特に、当該動画が記録された記録メディアに注文情報作成プログラムが記録されていれば、予め注文情報作成プログラムがインストールされた機器を用いる必要がないので便利である。
また、編集注文情報はオンラインによりプリントサービス業者等に直接送信できるので、ユーザは、編集注文情報だけでなく当該編集注文の対象となる動画もプリントサービス業者にオンライン送信すれば、自宅等からでも動画から静止画をプリントするシステムを利用できるので便利である。
【００１５】
【発明の実施の形態】
図面を参照して本発明を適用した記録装置１０について詳細に説明する。
【００１６】
まず、図１を参照して、記録装置１０の構成について説明する。
図１に示すように、記録装置１０は、メモリカードスロット１１、ＣＤ−ＲＷ／ＤＶＤ−ＲＷドライバ１２、ＦＢＳ１３、コインメックユニット１４、スピーカ１５、表示部１６、制御部１７、プリンタ１８、ＵＰＳ１９等を備えて構成される。
【００１７】
メモリカードスロット１１は、制御部１７とＵＳＢ（Ｕｎｉｖｅｒｓａｌ  Ｓｅｒｉａｌ  Ｂｕｓ）を介して接続され、各種ＤＳＣメモリカード（例えば、メモリースティック（登録商標）やＳＤカード（登録商標）等。）を着脱自在に格納する。メモリカードスロット１１に格納された上記各種ＤＳＣメモリカードと制御部１７との間ではＵＳＢを介してデータの送受信が可能である。
【００１８】
ＣＤ−ＲＷ／ＤＶＤ−ＲＷドライバ１２は、ＣＤ−ＲＷやＤＶＤ−ＲＷ等に対しデータの読み込みや書き込みを行う。また、ＣＤ−ＲＷ／ＤＶＤ−ＲＷドライバ１２と制御部１７との間ではＡＴＡＰＩ（Ａｄｖａｎｃｅｄ  Ｔｅｃｈｎｏｌｏｇｙ  Ａｔｔａｃｈｍｅｎｔ  Ｐａｃｋｅｔ  Ｉｎｔｅｒｆａｃｅ）を介してデータの送受信が行える。
【００１９】
以下、各種ＤＳＣメモリカード、ＣＤ−ＲＷ、ＤＶＤ−ＲＷ等を記録メディアと総称する。
【００２０】
ＦＢＳ（Ｆｌａｔ  Ｂｅｄ  Ｓｃａｎｎｅｒ）１３は、ＵＳＢ接続により制御部１７に接続されたスキャナであり、原稿から画像を読み込んで制御部１７に送信する。
【００２１】
コインメックユニット１４は、図示しない硬貨挿入口から予め指定された硬貨（例えば、５００円硬貨等。）が投入されると、以下に説明する編集記録処理を行う旨の指示信号を制御部１７に送信する。
【００２２】
スピーカ１５は、制御部１７から送信された各種音声アナログ信号を放音する。
【００２３】
表示部１６は、図示しないＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等のディスプレイ１６１を備え、制御部１７から送信された各種画像表示信号をディスプレイ１６１に表示する。また、表示部１６はタッチパネル１６２を備え、タッチパネル１６２はディスプレイ１６１の表示画面上に貼付されている。タッチパネル１６２から入力された各種信号は制御部１７に送信される。
【００２４】
制御部１７は、記録装置１０を統括的に制御する。特に、コインメックユニット１４から上記編集記録処理を行う旨の指示信号が送信されると、制御部１７は当該編集処理を行う。
【００２５】
プリンタ１８は、例えば、昇華（ｄｙｅ−ｓｕｂｌｉｍａｔｉｏｎ  ｐｒｉｎｔｅｒ）プリンタであり、ＳＣＳＩ（Ｓｍａｌｌ  Ｃｏｍｐｕｔｅｒ  Ｓｙｔｅｍ  Ｉｎｔｅｒｆａｃｅ）を介して制御部１７からプリント指示と共に送信された画像ファイルをプリント（インデックスプリントを含む。）する。
【００２６】
ＵＰＳ（Ｕｎｉｎｔｅｒｒｕｐｔｅｄ  Ｐｏｗｅｒ  Ｓｕｐｐｌｙ；無停電電源装置）１９は、商用電源の停止や瞬断等によるシステムダウンを防止するための予備電源装置であり、制御部１７を含む記録装置１０の各構成部に接続されて電源供給可能となっている。
【００２７】
次に、制御部１７によって行われる上記編集記録処理について説明する。
ここで、メモリカードスロット１１やＣＤ−ＲＷ／ＤＶＤ−ＲＷドライバ１２に格納された記録メディアには、編集記録処理が行われる（編集注文の対象となる）画像ファイルと、当該編集記録処理を行う際の仕様（以下、編集注文という。）が予め記録されている。
【００２８】
なお、上記編集注文情報は、編集注文の対象となる画像ファイルと同一の記録メディアに記録されているとしたが、これに限らず、例えば、画像ファイルが記録された記録メディアとは別のメディアに記録されていても良いし、注文票用紙に記入されるようなものであっても良い。この場合、ユーザは、当該注文票用紙を参照しながら編集注文情報をタッチパネル１６２を介して直接入力することとなる。
【００２９】
この編集注文情報は、動画から静止画をキャプチャーしてプリントするような編集注文の場合には、動画からキャプチャーされる場面（静止画）を指定するための情報や、当該キャプチャーされた静止画をプリントするための情報等を含む。例えば、編集注文の対象となる動画ファイル名（格納場所を示すパス）、動画再生スタートからのキャプチャー時間（又は、動画を構成する各静止画を識別するためのフレーム番号。）、プリントサイズ、プリント枚数、カラーマネジメント情報及びトリミング情報等を含む。このキャプチャー時間とは、動画の再生が開始されてから抽出（キャプチャー）の対象となる静止画が表示されるまでの時間である。
【００３０】
また、上記編集注文情報は、動画からキャプチャーされる静止画と他の静止画を含む複数の静止画を、指定されたレイアウト（テンプレート）に基づいて一つの静止画面内に割付けるように編集してプリントするような編集注文の場合には、当該複数の静止画の各々を指定するための情報や、当該指定された複数の静止画を編集する際に用いるテンプレートを指定するための情報や、当該指定された複数の静止画を当該テンプレートと共にプリントするための情報等を含む。例えば、編集注文の対象となる動画ファイル名（格納場所を示すパス）や静止画ファイル名（格納場所を示すパス）、動画再生スタートからのキャプチャー時間（又は、動画を構成する静止画のフレーム番号。）、テンプレート番号、プリントサイズ、プリント枚数、カラーマネジメント情報、トリミング情報、静止画をテンプレートに貼り付ける際の画像の位置（ポジション）を示す画像貼付ポジション情報等を含む。
【００３１】
制御部１７は、編集記録処理を開始すると、メモリカードスロット１１やＣＤ−ＲＷ／ＤＶＤ−ＲＷドライバ１２に格納された記録メディアに予め記録された編集注文の対象となる動画ファイルと、当該動画ファイルに対し編集注文するための編集注文情報とに基づいて静止画をキャプチャーする。次に、制御部１７は、必要に応じて指定されたテンプレート上に静止画を貼り付ける等の処理を行い、当該処理後の画像をプリンタ１８を用いてプリント（インデックスプリントを含む。）し編集記録処理を終了する。
【００３２】
当該編集記録処理により作成されたプリント例１を図２に示す。プリント例１には、一つの画面内に二つの静止画がテンプレートに貼付されている。これら静止画のうち少なくとも一つは動画からキャプチャーされたものである。
【００３３】
次に、図３を参照して上記編集注文情報の作成処理について説明する。
編集注文情報の作成は、ゲーム機やＤＶＤプレーヤ等の家電機器やＰＣ等（以下、編集注文情報作成装置という。）によって注文情報作成プログラムが実行されることにより行われる。この編集注文情報プログラムは、編集注文情報作成装置の内蔵メモリに予め格納（インストール）されていても良いし、また、当該編集注文情報に基づいて編集注文の対象となる画像ファイルと同一の記録メディアに記録されていても良い。
【００３４】
まず、編集注文の対象となる画像ファイルが記録された記録メディアがセットされたと判定されると（ステップＳ１０）、編集注文情報プログラが実行される（ステップＳ１１）。
【００３５】
次に、編集注文の対象となる動画や静止画等が図示しない表示手段を用いて編集注文用操作画面に表示されると（ステップＳ１２）、ユーザは、当該編集注文用操作画面に基づいて編集注文情報を作成する。
【００３６】
ここで、編集注文情報作成用の操作画面の一例（編集注文用操作画面２）を図４に示す。以下、図４を参照しながら、ステップＳ１３における編集注文情報の作成処理について詳細に説明する。ここで、図４に示す編集注文用操作画面２では、タッチパネルやマウス等（何れも図示略。）のポインティングデバイスを用いて各種指示入力が行われる。
【００３７】
編集注文用操作画面２には、編集注文の対象となる動画２１と、動画２１に対する再生操作の指示入力を行うための動画再生用操作ボタン２２とが表示されている。
【００３８】
また、編集注文用操作画面２には、動画２１の再生時間を視覚的に示す動画再生時間表示２３と、再生中の動画２１からキャプチャ−場面を指定する指示入力を行うキャプチャー指示ボタン２４が表示されている。ユーザは、動画２１の再生中にキャプチャー場面が表示されると、キャプチャー指示ボタン２４を指等でタッチ（或いはマウスをクリック）して当該場面の静止画をキャプチャーする。この際、動画再生開始時からキャプチャーされるまでの時間（或いは、キャプチャーされた静止画のフレーム番号。）が算出され、当該算出された時間（或いは、フレーム番号。）により、キャプチャー画面が指定される。
【００３９】
上記のようにしてキャプチャーされた静止画がキャプチャー画像２５のように表示される。更に、キャプチャー画像２５の指定（抽出）が終了した際にプリント注文指示ボタン２６がユーザの指等によりタッチ（或いはマウスによりクリック）されると、当該キャプチャー画面の指定を編集注文情報として作成する旨の指示入力が行われる。
【００４０】
図３に戻って説明する。
ステップＳ１３に編集注文情報が作成されると、当該編集注文情報は、ユーザによる選択指示に応じて、画面表示される（ステップＳ１４）か、或いは、データとして出力される（ステップＳ１６）。
【００４１】
ステップＳ１４の後、編集注文情報が画面表示されると、ユーザは、画面表示された編集注文情報を所定の注文票用紙に記入する。
【００４２】
また、ステップＳ１６の後、編集注文情報がデータとして出力されると、当該編集注文情報は、ユーザによる選択指示に応じて、編集注文の対象となる画像ファイルが記録された記録メディアとは別の記録メディアに、当該編集注文の対象となる画像ファイルと共に記録されるか（ステップＳ１６）、或いは、編集注文の対象となる画像ファイルが記録された記録メディアに追記されるか（ステップＳ１７）、或いは、編集注文情報作成装置がインターネット等の通信回線に接続されている場合には編集注文の対象となる画像ファイルと共に当該通信回線を介してオンライン送信される（ステップＳ１８）。
【００４３】
上記した記録装置１０と注文情報作成プログラムとを利用することにより、以下に説明するようなプリントサービスシステムが実施可能となる。
次に、このプリントサービスシステムについて説明する。
【００４４】
まず、ＤＳＣ、デジタルビデオカメラ或いはＤＶＤカメラ等を用いて作成された画像ファイルは、写真店で記録メディアＡに記録されたり、或いは、駅、マーケット、レストラン等の公共の場に設置された記録装置１０によって記録メディアＡに記録されたりする（ステップＳ５０）。ここで、記録メディアＡには、注文情報作成プログラムが予め記録されている。
【００４５】
この場合、記録メディアＡは、駅、マーケット、レストラン等の公共の場であって記録装置１０の設置場所近傍に設けられた販売陳列棚Ｔから購入される。画像ファイルは、記録装置１０を用いて当該記録メディアＡに記録される。
【００４６】
次に、上記のようにして画像ファイルが記録された記録メディアＡは、ユーザが利用可能なゲーム機やＤＶＤプレーヤ等の家電機器やＰＣ等にセットされ図３のフローチャートに示す編集注文情報作成処理が実行される（ステップＳ５１）。
【００４７】
この場合、編集注文情報は、記録メディアＡとは別の記録メディアＢに記録されるようにしても良い。また、注文情報作成プログラムが予め格納（インストール）されたＰＣが利用できる場合には、記録メディアＡを介さずに画像ファイルを当該ＰＣに直接コピーして用いるようにしても良い。
【００４８】
画像ファイルと編集注文情報とが記録メディアＡに（或いは、画像ファイルは記録メディアＡに、編集注文情報は記録メディアＢに）記録されている場合、記録メディアＡに記録された編集注文情報に基づく静止画のプリントが写真店に直接注文されるようであっても良いし、或いは、駅、マーケット、レストラン等の公共の場に設置された記録装置１０によって当該編集注文情報に基づく静止画のプリントが行われるようであっても良い。また、ユーザ毎の私書箱（ロッカー）が設けられた受付ロッカー１００を介して記録メディアＡが編集記録業者に届けられることにより、記録メディアＡに記録された編集注文情報に基づく静止画のプリントが当該編集記録業者に注文されるようであっても良いし、
【００４９】
また、画像ファイルと編集注文情報とがＰＣ等からインターネット等の通信回線を介して上記プリントサービス業者にオンライン送信されるようであっても良い。
【００５０】
以上説明したように、記録装置１０は、入力された画像ファイルの動画から、編集注文情報に指定された静止画をキャプチャーし、当該キャプチャーした静止画をプリントする。
当該編集注文情報は、編集対象となる画像ファイルが記録された記録メディアに追記されていても良いし、注文票用紙に記入されていても良い。この場合、ユーザは、当該注文票用紙に記入された編集注文情報を記録装置１０に直接入力する。
また、編集注文情報の作成は、ユーザが利用可能なゲーム機、ＤＶＤプレーヤ或いはＰＣ等で注文情報作成プログラムが実行されることにより行われる。
【００５１】
従って、記録装置１０を用いることにより、特にＰＣの操作に不慣れなユーザであっても、入力した編集注文情報に基づき動画から静止画を容易に抽出してプリントできるので、子供からお年よりまであらゆる人々に利用され得るものであり、高い汎用性が実現できる。
また、記録装置１０が、駅、マーケット、レストラン等の公共の場に設置されれば、ユーザは通学や会社帰り等に容易に動画から静止画をプリントするシステムを利用できるので便利である。
また、編集注文情報と当該編集注文の対象となる動画とを一枚の記録メディアＡにまとめて記録しておけば、当該記録メディアＡを記録装置１０にセットするだけで所望の静止画のプリントが容易に得られるので非常に便利である。
また、一枚の記録メディアＡに記録メディアＡの容量一杯に動画が記録されていても、他の別の記録メディアＢに編集注文情報が記録できるので、便利である。
また、動画から静止画を抽出してプリントしようとする場合、当該抽出する静止画を指定するための編集注文情報は注文情報作成プログラムが実行されることにより作成できるので、ユーザは、ＰＣに限らず、この注文情報作成プログラムを実行できる機器であればゲーム機やＤＶＤプレーヤ等でも編集注文情報が作成できる。
また、編集注文情報はオンラインによりプリントサービス業者等に直接送信できるので、ユーザは、編集注文情報だけでなく当該編集注文の対象となる動画もプリントサービス業者にオンライン送信すれば、自宅等からでも動画から静止画をプリントするシステムを利用できるので便利である。
【００５２】
なお、本実施の形態における記述は、本発明に係る記録装置及び注文情報作成プログラムの一例を示すものであり、これに限定されるものではない。本実施の形態における記録装置１０や注文情報作成プログラムによる処理内容の詳細については、本発明の趣旨を逸脱しない範囲で適宜変更可能である。
【００５３】
例えば、編集注文情報を作成するための編集注文情報作成装置をゲーム機、ＤＶＤプレーヤ、ＰＣとしたが、これに限らず、電話機やＴＶ等、注文情報作成プログラムが実行可能な機器であれば何でも良い。また、記録装置１０は、プリンタ１８を備えるものとして説明したが、これに限らず、プリンタ１８を記録装置１０とは別体にして設けても良い。
【００５４】
【発明の効果】
本発明によれば、記録装置を用いることにより、特にＰＣの操作に不慣れなユーザであっても、入力した編集注文情報に基づき動画から静止画を容易に抽出してプリントできるので、子供からお年よりまであらゆる人々に利用され得るものであり、高い汎用性が実現できる。
また、記録装置が、駅、マーケット、レストラン等の公共の場に設置されれば、ユーザは通学や会社帰り等に容易に動画から静止画をプリントするシステムを利用できるので便利である。
また、編集注文情報と当該編集注文の対象となる動画とを一枚の記録メディアにまとめて記録しておけば、当該記録メディアを記録装置にセットするだけで所望の静止画のプリントが容易に得られるので非常に便利である。
また、一枚の記録メディアに当該記録メディアの容量一杯に動画が記録されていても、他の別の記録メディアに編集注文情報が記録できるので、便利である。また、動画から静止画を抽出してプリントしようとする場合、当該抽出する静止画を指定するための編集注文情報は注文情報作成プログラムが実行されることにより作成できるので、ユーザは、ＰＣに限らず、この注文情報作成プログラムを実行できる機器であればゲーム機やＤＶＤプレーヤ等でも編集注文情報が作成できる。
また、編集注文情報はオンラインによりプリントサービス業者等に直接送信できるので、ユーザは、編集注文情報だけでなく当該編集注文の対象となる動画もプリントサービス業者にオンライン送信すれば、自宅等からでも動画から静止画をプリントするシステムを利用できるので便利である。
【図面の簡単な説明】
【図１】本発明を適用した記録装置の内部構成を示す図である。
【図２】本発明を適用した記録装置によって作成されたプリント例を示す図である。
【図３】編集注文情報作成処理を説明するフローチャートである。
【図４】編集注文情報作成処理が行われる際に用いられる編集注文用操作画面の一例を示す図である。
【図５】本発明を利用したプリントサービスシステムの内容を示す図である。
【符号の説明】
１０  記録装置
１１  メモリカードスロット
１２  ＣＤ−ＲＷ／ＤＶＤ−ＲＷドライバ
１３  ＦＢＳ
１４  コインメックユニット
１５  スピーカ
１６  表示部
１７  制御部
１８  プリンタ
１９  ＵＰＳ
１００  受付ロッカー
１６１  ディスプレイ
１６２  タッチパネル
【図１】
2005012702.tif 000003
【図２】
2005012702.tif 000004
【図３】
2005012702.tif 000005
【図４】
2005012702.tif 000006
【図５】
2005012702.tif 000007